(57)【要約】【課題】衣類の部分ごとに、汚れに応じた最適な洗い方で洗浄する。【解決手段】衣類収容部１ａ内に衣類を支持するハンガー９と、ハンガー９に支持された衣類に洗濯水を噴射する複数の噴射口１０ａ、１０ｂ、１０ｃと、噴射口１０ａ、１０ｂ、１０ｃに洗濯水を供給するポンプ１２と、噴射口１０ａ、１０ｂ、１０ｃとポンプ１２とを連通接続する洗濯水経路１８ａ、１８ｂ、１８ｃと、洗濯水を噴射する噴射口１０ａ、１０ｂ、１０ｃを切り替える洗濯水経路切替装置１９と、ポンプ１２および洗濯水経路切替装置１９を制御する制御装置１７とを備え、制御装置１７は、洗濯水経路切替装置１９により衣類の部分ごとに洗濯水を噴射可能に構成したものである。【選択図】図３
2014113188.tif 000002
【特許請求の範囲】
【請求項１】
衣類を収容する衣類収容部を設けた本体と、
前記衣類収容部内に衣類を支持するハンガーと、
前記ハンガーに支持された衣類に洗濯水を噴射する複数の噴射口と、
前記噴射口に洗濯水を供給するポンプと、
前記噴射口と前記ポンプとを連通接続する洗濯水経路と、
洗濯水を噴射する噴射口を切り替える洗濯水経路切替装置と、
前記ポンプおよび前記洗濯水経路切替装置を制御する制御装置とを備え、
前記制御装置は、前記洗濯水経路切替装置により衣類の部分ごとに洗濯水を噴射可能に構成した
洗濯機。
【請求項２】
洗剤を収納する複数の洗剤収納容器と、
洗濯水に付加する前記洗剤収納容器内の洗剤を切り替える洗剤切替装置とを備え、
前記洗剤切替装置により、洗濯水に付加する洗剤を切替可能に構成した
請求項１記載の洗濯機。
【請求項３】
洗剤収納容器に収納された洗剤を洗濯水に付加する量を調整する洗剤供給量調整装置を設けた
請求項１または２記載の洗濯機。
【請求項４】
洗濯水の汚れ度合を検出する汚れセンサを設けた
請求項１〜３のいずれか１項に記載の洗濯機。
【請求項５】
制御装置は、洗濯水を噴射する部分に応じてポンプの回転数を可変するようにした
請求項１〜４のいずれか１項に記載の洗濯機。
【請求項６】
ハンガーは、複数の噴射口と、
前記噴射口と洗濯水経路とを連通接続する中空状のハンガー経路を備えた
請求項１〜５のいずれか１項に記載の洗濯機。
【請求項７】
ハンガーは、衣類を保持する型枠を設け、
前記型枠内にハンガー経路を可動可能に構成した
請求項６記載の洗濯機。
【発明の詳細な説明】
【技術分野】
【０００１】
本発明は、衣類等の洗濯物を洗う洗濯機に関するものである。
【背景技術】
【０００２】
従来、この種の洗濯機は、衣類等の洗濯物を吊り下げた状態で固定し、洗浄液を移動させながら洗濯物に噴射するものが考えられている（例えば、特許文献１参照）。
【０００３】
図１２は、特許文献１に記載された従来の洗濯システムを示すものである。図１２に示すように、衣類等の洗濯物５１をハンガー５２に吊り下げて本体５３内に収容する。洗浄水を圧送するポンプ５４によって複数の噴射口５５から洗濯物５１に洗浄液を噴射し、洗浄するようにしたものである。
【先行技術文献】
【特許文献】
【０００４】
【特許文献１】特開２００３−３３５９７号公報
【発明の概要】
【発明が解決しようとする課題】
【０００５】
しかしながら、前記従来の構成では、衣類の部分ごとに最適な洗い方に変更することができなかった。そのため、衣類の一部に特徴的な汚れ（例えば、襟の汗染み）があっても、汗以外の様々な汚れに対応した洗剤で洗わざるを得ず、結果的に効率的に洗えず、また、仕上がりも向上しにくいという課題があった。
【０００６】
本発明は、前記従来の課題を解決するもので、衣類の部分ごとに、汚れに応じた最適な洗い方で洗浄することができる洗濯機を提供することを目的とする。
【課題を解決するための手段】
【０００７】
前記従来の課題を解決するために、本発明の洗濯機は、衣類収容部内に衣類を支持するハンガーと、前記ハンガーに支持された衣類に洗濯水を噴射する複数の噴射口と、前記噴射口に洗濯水を供給するポンプと、前記噴射口と前記ポンプとを連通接続する洗濯水経路と、洗濯水を噴射する噴射口を切り替える洗濯水経路切替装置と、前記ポンプおよび前記洗濯水経路切替装置を制御する制御装置とを備え、前記制御装置は、前記洗濯水経路切替装置により衣類の部分ごとに洗濯水を噴射可能に構成したものである。
【０００８】
これによって、衣類の部分ごとに洗い方を変えることができるので、衣類の部分ごとの汚れに応じた最適な洗い方で洗うことができ、効率的かつ洗浄力を高めた洗濯機を提供することが可能となる。
【発明の効果】
【０００９】
本発明の洗濯機は、衣類の部分ごとに最適な洗い方で洗うことができ、効率的に洗浄効果を高めることができる。
【図面の簡単な説明】
【００１０】
【図１】本発明の実施の形態１における洗濯機の外観図
【図２】同洗濯機の扉を開いた状態の外観図
【図３】同洗濯機の要部断面図
【図４】同洗濯機の要部断面図
【図５】同洗濯機の機械扉を開いた状態の外観図
【図６】同洗濯機の要部断面図
【図７】本発明の実施の形態２における洗濯機の要部断面図
【図８】本発明の実施の形態３における洗濯機の要部断面図
【図９】同洗濯機の他の例の要部断面図
【図１０】本発明の実施の形態４における洗濯機のハンガーの要部断面図
【図１１】（ａ）同洗濯機のハンガーをハンガーポールにセットした状態の要部断面図（ｂ）同ハンガーをハンガーポールから外した状態の要部断面図
【図１２】従来の洗濯システムの構成図
【発明を実施するための形態】
【００１１】
第１の発明は、衣類を収容する衣類収容部を設けた本体と、前記衣類収容部内に衣類を支持するハンガーと、前記ハンガーに支持された衣類に洗濯水を噴射する複数の噴射口と、前記噴射口に洗濯水を供給するポンプと、前記噴射口と前記ポンプとを連通接続する洗濯水経路と、洗濯水を噴射する噴射口を切り替える洗濯水経路切替装置と、前記ポンプおよび前記洗濯水経路切替装置を制御する制御装置とを備え、前記制御装置は、前記洗濯水経路切替装置により衣類の部分ごとに洗濯水を噴射可能に構成したことにより、衣類の部分ごとに汚れに応じた最適な洗い方で洗うことができ、効率的かつ効果的に衣類を洗浄することができる。
【００１２】
第２の発明は、特に、第１の発明に加えて、洗剤を収納する複数の洗剤収納容器と、洗濯水に付加する前記洗剤収納容器内の洗剤を切り替える洗剤切替装置とを備え、前記洗剤切替装置により、洗濯水に付加する洗剤を切替可能に構成したことにより、衣類の部分ごとに洗剤の種類を変えて洗うことが可能となり、洗浄力を向上することができる。
【００１３】
第３の発明は、特に、第１または第２の発明に加えて、洗剤収納容器に収納された洗剤を洗濯水に付加する量を調整する洗剤供給量調整装置を設けたことにより、衣類の部分によって洗剤濃度を変更した洗濯水で洗うことが可能になるので、洗浄能力を向上させることができる。
【００１４】
第４の発明は、特に、第１〜第３のいずれか１つの発明に加えて、洗濯水の汚れ度合を検出する汚れセンサを設けたことにより、衣類の部分ごとの汚れの種類を検知して、最適な洗剤や洗浄方法を選択して洗い方を変えることが可能となるので、洗浄能力を向上させることができる。
【００１５】
第５の発明は、特に、第１〜第４のいずれか１つの発明に加えて、制御装置は、洗濯水を噴射する部分に応じてポンプの回転数を可変するようにしたことにより、衣類の部分ごとに洗濯水の噴射圧力を変更することができる。例えば、生地の厚い部分には噴射圧を上げるなど最適な噴射圧力を選択することができるので、洗浄能力を向上させることができる。
【００１６】
第６の発明は、特に、第１〜第５のいずれか１つの発明に加えて、ハンガーは、複数の噴射口と、前記噴射口と洗濯水経路とを連通接続する中空状のハンガー経路を備えたことにより、衣類の内側から洗濯水を噴射することが可能となり、厚手の衣類を洗う際などに衣類の内側の汚れを重点的に洗浄することができるようになり、洗浄能力を向上させることができる。
【００１７】
第７の発明は、特に、第６の発明に加えて、ハンガーは、衣類を保持する型枠を設け、前記型枠内にハンガー経路を可動可能に構成したことにより、ハンガーに設けられた噴射口は、より衣類の広範囲に洗濯水を噴射することができ、衣類の内側のより広範囲の部分を洗浄することが可能となるので、洗浄能力を向上させることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における洗濯機の外観図、図２は、同洗濯機の扉を開いた状態の外観図、図３および図４は、同洗濯機の要部断面図、図５は、同洗濯機の機械扉を開いた状態の外観図、図６は、同洗濯機の要部断面図である。
【００２０】
図１〜図６において、本発明の第１の実施の形態にかかる洗濯機は、本体１内の上部の大部分に形成した衣類収容部１ａと、本体１内の衣類収容部１ａの下方に形成した機械室１ｂを有している。衣類収容部１ａは、前面が開放可能な扉２を有し、扉２は、本体１に取着したヒンジ３によって開閉自在に支持している。
【００２１】
扉２は、左端の上下部にヒンジ３を設け、扉２の右端近傍の前面部に、開閉用の取っ手４を設けて左開きするようにしている。扉２の前面部には、運転用の操作部と運転モードや運転状況等を表示する操作表示装置５を設けている。機械室１ｂは、前面に開閉自在な機械扉６を有し、左端に設けたヒンジ（図示せず）を回動軸として左開きするように本体１に取着している。
【００２２】
扉２の内側の本体１と接する部分には、扉２の周縁部に沿って防水パッキン７が設けられている。一方、本体１内の扉２と対向する位置に、開閉スイッチ（図示せず）が設けられている。開閉スイッチの操作部１ｃは本体１の前面部に突出し、扉２が閉じられたときに扉２により押圧されてオン状態になり、扉２が開かれると押圧が解除されてオフ状態になるように構成されている。
【００２３】
本体１の衣類収容部１ａ内には、衣類収容部１ａの左右の壁面にハンガーポール８の両端部を固定している。ハンガーポール８は、衣類収容部１ａの前後方向の略中央部に取り付けられており、衣類Ａが掛かったハンガー９をかけるように構成されている。
【００２４】
ハンガーポール８は、ハンガーポール用モータ（図示せず）によって上下振動可能に設けられている。また、衣類収容部１ａの複数の内壁面には、衣類Ａの外側から衣類Ａに向けて洗濯水を噴射する複数の噴射口１０が設けられている。
【００２５】
衣類収容部１ａの底部には水溜め部１１が設けられている。水溜め部１１は、後部から扉２が設けられている前部に向けて、底面１１ａを前下がりに傾斜させて構成しており、扉２を開いた状態で前部から洗濯水が流出しないように、一定程度の水量が溜められるようになっている。
【００２６】
本体１内の機械室１ｂ内には、洗濯水を循環させるためのポンプ１２と、ポンプ１２と水溜め部１１とを連通接続させる循環経路１３と、循環経路１３中に着脱自在に設けたフィルタ１４と、フィルタ１４とポンプ１２との間の循環経路１３に設けた排水弁１５と、排水弁１５と機外とを連通接続する排水経路１６と、ポンプ１２および排水弁１５等を制御し、洗濯運転を制御する制御装置１７を設けている。
【００２７】
排水弁１５は、循環経路１３およびポンプ１２と同じか、それより下方に設けられている。また、ポンプ１２と複数の各噴射口１０とを連通接続する洗濯水経路１８が設けられている。
【００２８】
外部水栓Ｃと本体１は、ホースＤで接続されており、ホースＤを通って流入した水は、本体１内の給水弁（図示せず）を介して衣類収容部１ａ内の水溜め部１１に供給されるように構成されている。
【００２９】
複数の噴射口１０のうち、第１噴射口１０ａは、衣類Ａの襟に重点的に洗濯水が噴射されるように噴射の向きを調整されている。また、第２噴射口１０ｂは、衣類Ａの肩の部分に重点的に洗濯水が噴射されるように噴射の向きを調整されている。さらに、第３噴射口１０ｃは、衣類Ａの袖の部分に重点的に洗濯水が噴射されるように噴射の向きを調整されている。
【００３０】
ポンプ１２と各噴射口１０ａ、１０ｂ、１０ｃとの間には、洗濯水経路切替装置１９が設けられている。第１噴射口１０ａと洗濯水経路切替装置１９をつなぐ経路を洗濯水経路１８ａ、第２噴射口１０ｂと洗濯水経路切替装置１９をつなぐ経路を洗濯水経路１８ｂ、第３噴射口１０ｃと洗濯水経路切替装置１９をつなぐ経路を洗濯水経路１８ｃとし、制御装置１７により洗濯水経路切替装置１９を切り替えることによって、洗濯水が噴射する噴射口１０ａ、１０ｂ、１０ｃを切り替えることができるように構成されている。
【００３１】
図４は、水溜め部１１とフィルタ１４との間の循環経路１３の構成を示している。循環経路１３の水溜め部１１とフィルタ１４との間には、水溜め部１１から流れてきた洗濯水を３つの循環経路のいずれかと接続する切替弁からなる洗剤切替装置２０と、途中に洗剤収納容器２１ａを備えた循環経路１３ａと、途中に洗剤収納容器２１ｂを備えた循環経路１３ｂと、途中に何も設けていない循環経路１３ｃとが設けられている。
【００３２】
洗剤収納容器２１ａ、２１ｂは、上面が開口された略箱体状に形成されており、この箱体の内部に洗剤をセットするもので、箱体の手前に脱着操作用の取っ手を設けている。洗剤収納容器２１ａ、２１ｂは、前後方向にスライドする構成となっている。
【００３３】
洗剤を投入する場合は、洗剤収納容器２１ａ、２１ｂを手前側にスライドさせて引き出し、その後、洗剤を入れた洗剤収納容器２１ａ、２１ｂを奥までスライドさせると、循環経路１３内に配置され、循環経路１３を流れてきた洗濯水に洗剤が加わるように構成されている。
【００３４】
機械扉６を開いて、洗剤収納容器２１ａ、２１ｂがセットされた状態を図５に示す。循環経路１３ａ、１３ｂ、１３ｃは、洗剤切替装置２０で分岐し、洗濯水がフィルタ１４に到達するまでに集結し、互いに連結されている。
【００３５】
図６は、衣類Ａの前後中央を基点とした断面図を示している。衣類収容部１ａ内には、衣類収容部１ａの底面に取り付けられ、衣類Ａの身頃部分で囲まれるように衣類Ａの内側に配置された衣類内洗浄ポール２２が設けられている。
【００３６】
衣類内洗浄ポール２２は、内部が中空の筒状に形成され、上部から下部にかけて周囲に第二の噴射口２３が複数設けられている。第二の噴射口２３とポンプ１２は、洗濯水経路２４により連通接続されている。衣類内洗浄ポール２２は、モータ２５により回転可能に設置されている。衣類内洗浄ポール２２は、衣類収容部１ａに３つ設けられている。
【００３７】
洗濯水経路切替装置１９は、一般的な回転式の切替弁構造で実施可能である。例えば、円筒状ケース（図示せず）の底部に、洗濯水経路１８ａ、１８ｂ、１８ｃ、２４のポンプ１２側の開口部を円周上に等角度に設け、これらの開口部の１つと対向する孔を設けた弁体（図示せず）を回動させることによって、洗濯水を供給する部分を順次切り替えることができる。
【００３８】
隣接する２つの開口部と対向するように孔を長形にすれば、同時に二カ所の部分に給水可能である。回動自在な弁体は、洗濯水の供給によって開口部が設けられているケースの底部に付勢されて密着し、設定された開口部から洗濯水を供給することができる。なお、弁体を付勢力に抗して開口部が設けられているケースの底部から離反させると、全ての開口部と弁体の孔が連通し、洗濯水経路１８ａ、１８ｂ、１８ｃ、２４へ同時に洗濯水を供給することが可能である。
【００３９】
以上のように構成された洗濯機について、以下その動作、作用を説明する。衣類の洗濯プログラムの実行による動作の詳細を以下に説明する。洗濯の手順の概要を示す。洗濯は洗い工程、すすぎ工程、脱水工程からなる。洗濯を開始する前の事前準備から説明する。
【００４０】
まず、使用者は扉２を開けて、洗濯する衣類Ａをハンガー９に掛け、衣類収容部１ａ内のハンガーポール８に吊り下げる。このとき、衣類内洗浄ポール２２が衣類Ａの内側に位置するように注意しながら衣類をセットする。
【００４１】
次に、使用者は機械扉６を開けて、所定の洗剤Ｖ（例えば、皮脂汚れに特化して落とすように選ばれた酵素や界面活性剤などを含む）を洗剤収納容器２１ａに入れる。また、所定の洗剤Ｗ（例えば、様々な汚れに対応できる弱アルカリ洗剤等）を洗剤収納容器２１ｂに入れ、それぞれ所定の位置にセットする。
【００４２】
その後、使用者は扉２および機械扉６を閉じると、開閉スイッチ（図示せず）の操作部１ｃを押圧してオンされ、制御装置１７は扉２が閉じられたことを検知する。使用者は操作表示装置５を操作して、洗濯を行う衣類の種類別や、汚れ度合別に設けられたコースの中から最適なもの（例えば、Ｙシャツコース）を選択し、洗濯を開始する。
【００４３】
洗い工程が始まると、制御装置１７は、給水弁（図示せず）を開いて水を水溜め部１１に供給する。制御装置１７は、予め設定された水量が供給されるまで給水弁を開放し続けた後、給水弁を閉止する。
【００４４】
制御装置１７が洗剤切替装置２０を開放することで、供給された水は水溜め部１１から循環経路１３に流入する。制御装置１７は、洗剤切替装置２０を循環経路１３ａに洗濯水が流れるように切り替える。その結果、最初は洗剤収納容器２１ａに入れられた洗剤Ｖが洗濯水に加わる。
【００４５】
その後、洗濯水はフィルタ１４および排水弁１５を介してポンプ１２まで流入する。制御装置１７は、あらかじめ排水弁１５で排水経路２１側を閉じておき、水を循環させる。制御装置１７は、衣類の襟に水を噴射するように調整された第１噴射口１０ａからのみ洗濯水を噴射するための洗濯水経路１８ａだけに水が流れるよう、洗濯水経路切替装置１９を切り替える。
【００４６】
制御装置１７はポンプ１２を駆動させると、洗濯水は洗濯水経路１８ａと複数の第１噴射口１０ａを介して衣類Ａに吹き付けられる。このとき、制御装置１７は、ポンプ１２を高回転（例えば、毎分１００回転）で運転させる。洗濯水は勢いよく衣類Ａに吹き付けられることで、噴射の勢いにより泥汚れなどの固形物汚れを落とすことができる。
【００４７】
水溶性の汚れは、洗濯水が当たることによってその汚れが水に溶け出すので、洗い落とすことが可能になる。さらに洗剤Ｖを加えることで、洗濯水に含まれる洗剤成分がＹシャツの襟に付着しやすい皮脂汚れを浮き上がらせて汚れを落とす。
【００４８】
洗濯水と汚れはその後、水溜め部１１に落下し、循環経路１３を通ってポンプ１２、第１噴射口１０ａを介して再び衣類Ａに噴射される。制御装置１７は、設定された所定時間の間洗濯水を循環させ、以上のように各種の汚れを衣類Ａの襟から除去する。以上で、衣類Ａの襟部分の洗浄が終了する。
【００４９】
次に、襟以外の部分についても洗浄を行う。制御装置１７は、次に袖を洗うために第３噴射口１０ｃから洗濯水が噴射されるように、洗濯水経路切替装置１９を切り替えて洗濯水経路１８ｃに洗濯水を流し、同様に洗剤Ｖを加えた洗濯水で上記と同様に洗浄する。このとき、制御装置１７は、ポンプ１２を低回転（例えば、毎分５０回転）で駆動する。袖の洗浄が終わると、制御装置１７は排水弁１５を開放して洗濯水を排水する。
【００５０】
次に、肩部を洗浄するために、制御装置１７は給水弁を開放して水を水溜め部１１に供給する。制御装置１７は、洗剤切替装置２０を循環経路１３ｂに洗濯水が流れるように切り替える。その結果、洗剤収納容器２１ｂに入れられた洗剤Ｗが洗濯水に加わる。
【００５１】
肩部の場合は、第２噴射口１０ｂから洗濯水が噴射されるように、洗濯水経路切替装置１９を切り替えて洗濯水経路１８ｂに洗濯水を流し、洗剤Ｗを加えた洗濯水を予め設定された所定時間循環させて肩部の洗浄を終了した後、最後に身頃の洗浄を行う。
【００５２】
身頃の場合は、第二の噴射口２３から洗濯水を噴射するように、制御装置１７は、洗濯水経路切替装置１９を切り替えて洗濯水経路２４に洗濯水を流し、内側から洗う。
【００５３】
最後には、噴射口１０（第１噴射口１０ａ、第２噴射口１０ｂ、第３噴射口１０ｃ）および第二の噴射口２３から洗濯水を噴射するように、洗濯水経路切替装置１９を切り替えて衣類Ａ全体を内側と外側から洗浄する。その後、制御装置１７はポンプ１２を停止し、排水弁１５を開放させ、水溜め部１１や循環経路１３に溜まった洗濯水を排水経路１６を通して機外へと排出し、洗い工程を終了する。
【００５４】
洗い工程が終了すると、すすぎ工程に移る。制御装置１７は給水弁を開放するとともに排水弁１５を閉じ、水を水溜め部１１に溜める。所定の時間が経過すると、制御装置１７は給水弁を閉じ、ポンプ１２を駆動する。洗い工程の終了とともに汚れと洗剤の混ざった洗濯水が排水されているので、汚れの含まない水を衣類Ａに噴射することになり、衣類Ａに残った汚れや洗剤などを洗い落とす。
【００５５】
ポンプ１２を駆動させて一定時間経過すると、制御装置１７はポンプ１２を停止させて、排水弁１５を開放して排水する。以上の給水から排水までのプロセスを複数回行ってすすぎ工程を終了する。すすぎ工程での衣類Ａに対する洗濯水の噴射の動作は、洗い工程と同様である。
【００５６】
すすぎ工程が終了すると、脱水工程に移る。制御装置１７は排水弁１５を開き、ハンガーポール用モータ（図示せず）を動作させ、ハンガーポール８を上下方向に振動させる。ハンガーポール８の上下振動によりハンガー９に掛けた衣類Ａから水が落下していく。
【００５７】
一定時間、ハンガーポール用モータを動作させた後、制御装置１７はハンガーポール用モータの動作を停止し、脱水工程を終了する。脱水工程が終了すると、制御装置１７は、操作表示装置５に取り付けられたスピーカーから運転終了を知らせるメロディを流して報知する。
【００５８】
なお、洗濯していない場合には、制御装置１７が開閉スイッチ（図示せず）がＯＦＦの状態、つまり、扉２が開放した状態では、運転を開始しない。一方、洗濯中には、制御装置１７が開閉スイッチ（図示せず）がＯＦＦの状態になると、ポンプ１２やモータ２５、ハンガーポール用モータ（図示せず）の動作を停止し、給水弁（図示せず）と排水弁１５は閉じる。
【００５９】
以上のように、本実施の形態においては、衣類を収容する衣類収容部１ａを設けた本体１と、衣類収容部１ａ内に衣類を支持するハンガー９と、ハンガー９に支持された衣類に洗濯水を噴射する複数の噴射口１０と、噴射口１０に洗濯水を供給するポンプ１２と、噴射口１０とポンプ１２とを連通接続する洗濯水経路１８と、洗濯水を噴射する噴射口１０を切り替える洗濯水経路切替装置１９と、ポンプ１２および洗濯水経路切替装置１９を制御する制御装置１７とを備え、制御装置１７は、洗濯水経路切替装置１９により衣類の部分ごとに洗濯水を噴射可能に構成したものであり、一部の噴射口から洗濯水を噴射する構成とすることで、衣類の部分ごとに洗剤や洗濯時間などの洗濯条件を変更することができるようになり、衣類の部分ごとに汚れに応じた最適な洗い方で洗うことができ、洗浄能力を向上させた洗濯機を提供することが可能となる。
【００６０】
また、洗剤を収納する複数の洗剤収納容器２１と、洗濯水に付加する洗剤収納容器２１内の洗剤を切り替える洗剤切替装置２０とを備え、洗剤切替装置２０により、洗濯水に付加する洗剤を切替可能に構成したものであり、衣類の部位ごとに最適な洗剤を選択することができるようになり、より洗浄能力を向上させることが可能となる。
【００６１】
また、洗濯水を噴射する部位に応じてポンプ１２の回転数を可変するようにしたものであり、例えば、襟のような分厚い部分では、洗濯水の噴射圧力を上げることで、部位に応じて洗浄力を調整することが可能となるので、より効率的に洗浄することが可能となる。
【００６２】
なお、本実施の形態では、衣類内洗浄ポール２２は衣類Ａの身頃の内側だけに配置されているが、衣類Ａの袖部の内側に洗浄ポールを配置すると、衣類の中でも汚れの多い袖部の洗浄力をさらに向上することができる。
【００６３】
衣類Ａに内側から洗濯水を噴射することで、衣類Ａは外側に膨らむような力を受ける。ただし、ある程度衣類Ａが広がると、濡れた衣類Ａの自重によって縮む方向に働く力が働き、両方の力が均衡したところで衣類Ａの伸びは止まる。これにより、衣類がほとんど動かない状態で洗濯水を吹き付けることができるので、洗濯水の噴射力が低減してしまうことなく洗浄することが可能になる。
【００６４】
また、衣類Ａの内外から同時に洗濯水を噴射すれば、衣類Ａが一方向にたなびいて移動することが少なく、衣類Ａが幾重にも重なってしまうことも少なく、洗濯水が衣類Ａ全体に満遍なく当たりやすい。
【００６５】
また、衣類内洗浄ポール２２は、衣類収容部１ａ内の高い部分まで延びるように設けたり、マネキンに近いような形状で、衣類のごく近くに第二の噴射口２３が設けられるようにするなど、衣類Ａの内側に洗濯水を噴射できれば、衣類内洗浄ポール２２はどのような形状でもよい。
【００６６】
さらに、衣類内洗浄ポール２２は、衣類収容部１ａの底面に設けられているが、衣類収容部１ａ内の天井面から吊り下げるように設けられていてもよく、奥面や側面に設けられていてもよい。
【００６７】
なお、本実施の形態では、襟や肩、袖、身頃などに分けて洗っているが、同じく汗や皮脂汚れの付着しやすい襟と袖を同時に洗うなど、衣類の分け方を少なくして洗ったり、または、さらに細分化して身頃も前と後ろで分けたり、袖も上部と下部で分けるなどしてもよい。
【００６８】
また、使用者が選択するコースによって、衣類の分け方を変えてもよい。例えば、Ｙシャツを洗うのに最適な「Ｙシャツコース」を選んだ場合は、襟と袖は同時に洗うが、一般的なＴシャツなどを洗う「標準コース」を選んだ場合は、襟と袖は別々に洗うようにしてもよい。
【００６９】
（実施の形態２）
図７は、本発明の第２の実施の形態における洗濯機の要部断面図である。本実施の形態の特徴は、複数の洗剤収納容器２１ａ、２１ｂを設け、洗剤切替装置２０によって洗濯水に付加する洗剤を切替可能に構成するとともに、洗剤量を調整する洗剤供給量調整装置２９ａ、２９ｂを設けたものである。他の構成は実施の形態１と同じであり、同一の構成に同一の符号を付して、詳細な説明は実施の形態１のものを援用する。
【００７０】
図７において、循環経路１３のフィルタ１４の前に汚れセンサ２８を設けている。汚れセンサ２８は、泥などの汚れを検知する赤外線センサ（図示せず）と、汗などの汚れを検知する電極センサ（図示せず）を具備している。
【００７１】
赤外線センサは、循環経路１３の一部透明部の外側に赤外線の受発光部を対向して設けている。また、電極センサは、循環経路１３内に２本の電極の一端が露出するように設けられている。
【００７２】
洗剤収納容器２１ａは、洗剤供給量調整装置２９ａを介して循環経路１３ａと接続されており、洗剤収納容器２１ｂは、洗剤供給量調整装置２９ｂを介して循環経路１３ｂと接続されている。洗剤が入れられた洗剤収納容器２１ａ、２１ｂがセットされると、洗剤供給量調整装置２９ａ、２９ｂまで移動し、制御装置１７が洗剤供給量調整装置２９ａ、２９ｂを開放すると、即座に洗剤が循環経路１３に供給されるように構成されている。
【００７３】
洗い工程が始まると、制御装置１７は給水弁を開放して水を水溜め部１１に供給する。制御装置１７はこの後、供給水量が一定になるまで給水弁を開放し続けた後、給水弁を閉止する。制御装置１７が洗剤切替装置２０を開放することで、供給された水は水溜め部１１から循環経路１３に流入する。
【００７４】
制御装置１７は、洗剤切替装置２０を循環経路１３ｃに洗濯水が流れるように切り替える。その結果、最初は水に洗剤が加わらない。その後、洗濯水はフィルタ１４および排水弁１５を介してポンプ１２まで流入する。制御装置１７は、あらかじめ排水弁１５の排水経路１６側を閉じておき、水を循環させる。
【００７５】
制御装置１７は、洗濯水経路１８ａだけに水が流れるように洗濯水経路切替装置１９を切り替え、調整された第１噴射口１０ａからのみ、衣類Ａの襟に洗濯水を噴射する。制御装置１７は、ポンプ１２を駆動させると、洗濯水は洗濯水経路１８ａを通って複数の第１噴射口１０ａから衣類Ａの襟に洗濯水が吹き付けられる。
【００７６】
衣類Ａに洗濯水が勢いよく吹き付けられることで、噴射の勢いにより泥汚れなどの固形物汚れを落とすことができる。水溶性の汚れは、洗濯水が当たることによってその汚れが水に溶け出すので、洗い落とすことが可能になる。
【００７７】
洗濯水と汚れはその後、水溜め部１１に落下し、循環経路１３を通って汚れセンサ２８まで到達する。制御装置１７は、汚れセンサ２８の検知結果（汚れの種類とその濃度）に基づいて洗濯水に加える洗剤を選択する（例えば、皮脂汚れが多く検出される場合には洗剤Ｖ、皮脂汚れが少ない場合やその他の汚れも検出される場合には洗剤Ｗなど）。
【００７８】
制御装置１７が汚れ度合を判定し、例えば、皮脂汚れが少ないと判定した場合には、制御装置１７は、洗剤切替装置２０を洗濯水が循環経路１３ｂを通るように切り替える。そこで、洗濯水に洗剤収納容器２１ｂに入れられた洗剤Ｗが加えられる。
【００７９】
制御装置１７は、汚れセンサ２８で検出された汚れの程度に応じて、洗剤供給量調整装置２９ｂを予め決められた時間だけ開放して洗剤Ｗを加える。これにより、汚れの程度に適した洗剤濃度の洗濯水を衣類Ａに吹き付けることができ、洗濯水に含まれる洗剤成分が衣類Ａの汚れを洗い落とす。
【００８０】
制御装置１７は、一定時間の間洗濯水を循環させて、付着した各種の汚れを衣類Ａから除去する。衣類Ａの洗浄は、襟に続いて、肩、袖、身頃等、部分ごとに行われて洗浄が終了する。
【００８１】
以上のように、本実施の形態においては、洗剤を収納する複数の洗剤収納容器２１ａ、２１ｂと、洗剤切替装置２０を設け、洗濯水に付加する洗剤を切替可能に構成したものであり、衣類の部分によって洗剤の種類を変えて洗うことができるようになり、洗浄効果を高めることができる。
【００８２】
また、洗剤収納容器２１ａ、２１ｂに収納された洗剤を洗濯水に付加する量を調整する洗剤供給量調整装置２９ａ、２９ｂを設けたものであり、汚れの程度に応じて洗濯水に付加する洗剤量をきめ細かく調整することができるようになり、洗浄効果を一層高めることができる。
【００８３】
また、洗濯水の汚れ度合を検出する汚れセンサ２８を設けたものであり、衣類Ａの部位ごとに実際に付着している汚れに最適な洗剤を選択して洗うことができるようになり、さらに洗浄効果を高めることができる。
【００８４】
なお、洗濯する衣類の汚れの状況があらかじめ分かっているときは、操作表示装置５によって、洗濯の開始時に洗剤の種類や濃度等を手動で設定できるようにすることが可能である。
【００８５】
（実施の形態３）
図８は、本発明の第３の実施の形態における洗濯機の要部断面図である。本実施の形態の特徴は、衣類を掛けるハンガーをポール一体型ハンガー２６で形成したものである。他の構成は実施の形態１と同じであり、同一の構成に同一の符号を付して、詳細な説明は実施の形態１のものを援用する。
【００８６】
図８において、衣類収容部１ａ内の前後方向略中央に左右に渡ってポール一体型ハンガー２６が設けられている。ポール一体型ハンガー２６は、ポールにハンガーが３つ一体化されている形状となっており、ハンガーだけ取り外すことはできない。
【００８７】
ポール一体型ハンガー２６には、複数の噴射口２７が設けられているとともに、ポール部２６ａおよびハンガー部２６ｂを有し、いずれも中空になっており、内側に形成された洗濯水経路２６ｃは、ポンプ１２と連通接続されている。
【００８８】
ポール一体型ハンガー２６に設けられた噴射口２７から水を噴射することで、衣類Ａの襟や肩口などに容易に洗濯水を噴射することが可能になる。また、ポール一体型ハンガー２６は、衣類Ａの最上部にあるため、噴射口２７から噴射された洗濯水が直接衣類Ａに当たらなかった場合においても、噴射された洗濯水が落下していく途中で衣類Ａのどこかに接触する可能性は高くなり、洗剤の衣類への付着率が上がる。
【００８９】
図９は、本実施の形態の他の例を示したものである。ハンガー３０は襟から肩口だけではなく、袖３０ａや身頃３０ｂの下部にまで延長した形状で中空となっており、内側に洗濯水経路３０ｃが形成されており、ポンプ１２と連通接続されている。噴射口３１は、その全体にわたって複数設けられている。
【００９０】
これにより、洗濯水は汚れやすい袖部分や、衣類Ａのその他の部分にまで届きやすくなり、満遍なく衣類Ａに洗濯水を噴射することができるようになり、洗浄力を向上させることができる。なお、ハンガー３０は、ポール一体型ハンガーであってもよく、また、ハンガーポール８に対して着脱自在にかけられるようにしてもよい。
【００９１】
（実施の形態４）
図１０は、本発明の第４の実施の形態における洗濯機のハンガーの要部断面図、図１１（ａ）（ｂ）は、同ハンガーのハンガーポールへの着脱動作説明図である。本実施の形態の特徴は、衣類を掛けるハンガー３３を、型枠３４とハンガー経路３５とで構成したものである。他の構成は実施の形態１と同じであり、同一の構成に同一の符号を付して、詳細な説明は実施の形態１のものを援用する。
【００９２】
図１０において、ハンガー３３は、衣類Ａを支える針金状の細い金属製の骨組みからなる型枠３４と、可動可能な中空のハンガー経路３５と、複数の噴射口３６が設けられている。ハンガー３３は、ハンガーポール８の決まった数箇所に着脱自在に設置可能に構成されている。
【００９３】
図１１（ａ）は、ハンガー３３をハンガーポール８にセットした状態を示し、（ｂ）は、ハンガー３３をハンガーポール８から外した状態を示している。
【００９４】
ハンガーポール８のハンガー３３をセットする部分には、丸穴８ａが開けられており、この丸穴８ａの内側にパッキン３７が設けられている。パッキン３７はハンガーポール８の壁面に内方から押し付けられるようにバネ（図示せず）によって付勢されている。
【００９５】
以上のように構成された洗濯機について、以下その動作、作用について説明する。基本的な動作は、実施の形態１と同様であるので、詳細な説明は実施の形態１のものを援用する。
【００９６】
本実施の形態では、噴射口３６は衣類Ａから一定の距離を置いて設けられている。その結果、一つの噴射口３６から噴出した洗濯水は、より広範囲の衣類Ａの部分に接触させることができるようになる。
【００９７】
ハンガー経路３５は衣類Ａに接触していないので、移動することが可能になる。噴射口３６は、洗濯水が垂直方向からずれた方向に噴射されるように構成されているので、洗濯水にかかる力の反力がハンガー経路３５に加わることになる。
【００９８】
この結果、ハンガー経路３５は、洗濯水の噴射と反対方向に力を受けて回転運動を始める。しかし、ハンガー経路３５の一部が型枠３４に接触すると、ハンガー経路３５は移動できなくなり停止する。
【００９９】
このとき、回転可能に構成されている噴射口３６は、洗濯水の噴射反力で回転し、今度はハンガー経路３５が反対方向に回転するような向きにまで回転移動する。その結果、今度はハンガー経路３５が反対方向に回転移動する。これを繰り返すことで、モータなどの駆動手段がなくともハンガー経路３５は移動し続けることになる。
【０１００】
ハンガー経路３５が移動すると、結果的には噴射口３６も移動することになり、さらに広範囲の衣類Ａの部分に洗濯水を接触させることができるようになる。一方、型枠３４は衣類Ａを比較的張った状態で支持する。そのため、洗濯水が衣類Ａに当たっても、洗濯水の勢いで衣類Ａがゆらゆらたなびくように移動することが少なく、洗濯水の噴射の勢いが弱められることなく、洗濯水を衣類Ａに接触させることができる。
【０１０１】
また、ハンガー３３がハンガーポール８にセットされたときは、パッキン３７は、ハンガー３３の突起３３ａにより押圧されてハンガーポール８の内側に入り込み、ハンガーポール８内の水がハンガー３３内のハンガー経路３５に流入する。ハンガー３３がハンガーポール８から外されると、丸穴８ａはパッキン３７の付勢力で閉じられ、ハンガーポール８内を流れてきた洗濯水が外に流出することはない。
【０１０２】
以上のように、本実施の形態においては、ハンガー３３を型枠３４とハンガー経路３５とで構成したものであり、一つの噴射口３６から衣類Ａのより大部分に洗濯水を噴射することが可能となり、効率よく洗浄することが可能となる。
【０１０３】
また、ハンガー経路３５を可動に構成することにより、一つの噴射口３６がさらに衣類Ａの広範囲に洗濯水を噴射することができるようになり、さらに効率よく洗浄することが可能となる。
【０１０４】
さらに、ハンガー３３をハンガーポール８に取り付けた場合に、ハンガーポール８に設けた洗濯水経路１８に、ハンガー経路３５を連通接続可能に構成されていることにより、衣類Ａをハンガー３３にかける際の手間が少なく、使い勝手がよくなると同時に、ハンガー３３から水が噴射されることで、洗浄力を向上させることが可能となる。
【０１０５】
また、図１０に示すように、ハンガー３３は、ハンガー経路３５の噴射口３６近傍のみ回転可能に構成されている。噴射口３６は、ハンガー経路３５の半径方向から数十度ずれた方向に洗濯水を噴出させるように構成されているので、噴射口３６に洗濯水が通過すると、駆動手段がなくとも自動的に噴射口３６は回転する。これにより、より衣類Ａの広範囲に洗濯水を付着させることができるので、効率的に洗浄することができる。
【０１０６】
なお、型枠３４は、本実施の形態では針金状の細い金属で構成しているが、太い棒状の部材で形成してもよく、材料は、金属製のほか、樹脂、セラミックス等でもよい。また、型枠の形状としては、衣類の形態を保持するために肩パッドのような支持部材を設けてもよく、また、メッシュ素材で形成したハンガーのようなものでもよい。
【０１０７】
なお、上記すべての実施の形態において、本体１は必ずしも箱型でなくてもよく、円筒形や尖塔形状など他の形でも、衣類をハンガーにより支持した状態で収容することができればよい。
【０１０８】
なお、上記すべての実施の形態において、機械扉６は扉２と一体化されていてもよい。
【０１０９】
なお、上記すべての実施の形態において、送風用のファンを設けて、衣類を乾燥させる機能が付加されてもよい。
【０１１０】
なお、上記すべての実施の形態において、扉２は片開きの扉であるが、両開きの扉や、シャッターなど他の扉でもよく、本体１内から水漏れが防止できればよい。
【０１１１】
なお、上記すべての実施の形態において、ハンガーの数は３つに限定されるものではなく、それ以上でも以下でもよい。
【産業上の利用可能性】
【０１１２】
以上のように、本発明にかかる洗濯機は、衣類の部分ごとに最適な洗い方で洗うことができ、効率的に洗浄効果を高めることができるので、洗濯機として有用である。
【符号の説明】
【０１１３】
１  本体
１ａ  衣類収容部
９  ハンガー
１０ａ  第１噴射口（噴射口）
１０ｂ  第２噴射口（噴射口）
１０ｃ  第３噴射口（噴射口）
１２  ポンプ
１７  制御装置
１８  洗濯水経路
１９  洗濯水経路切替装置
【図１】
2014113188.tif 000003
【図２】
2014113188.tif 000004
【図３】
2014113188.tif 000005
【図４】
2014113188.tif 000006
【図５】
2014113188.tif 000007
【図６】
2014113188.tif 000008
【図７】
2014113188.tif 000009
【図８】
2014113188.tif 000010
【図９】
2014113188.tif 000011
【図１０】
2014113188.tif 000012
【図１１】
2014113188.tif 000013
【図１２】
2014113188.tif 000014